(57)【要約】【課題】従来から使用されているオフセットパラボラアンテナを用いて，水平方向から送信される電波の受信を可能にするパラボラアンテナ支持装置を提供する。【解決手段】構造物の片面に当接する本体ベース１と，本体ベース１に保持されたアンテナ支柱２と，構造物の反対面に当接するあて板３と，本体ベース１とあて板３とを締め付けるＵ字ボルト４及びナット７とを備え，前記アンテナ支柱の開放端側であるアンテナ取付け部の軸線と前記本体ベースが形成する平面に対する垂直線とが，４０〜６０°の角度をもつように形成する。【選択図】　図２
2004088368.tif 000002
【特許請求の範囲】
【請求項１】
構造物に当接する本体ベースと，本体ベースに保持されたアンテナ支柱とを備え，前記アンテナ支柱の開放端側におけるアンテナ取付け部の軸線と前記本体ベースが形成する平面に対する垂直線とが，直交しないように形成された事を特徴としたパラボラアンテナ支持装置。
【請求項２】
前記アンテナ支柱の開放端側におけるアンテナ取付け部の軸線と前記本体ベースが形成する平面に対する垂直線とが，４０〜６０°の角度をもつように形成された事を特徴とした請求項１に記載のパラボラアンテナ支持装置。
【請求項３】
前記本体ベースには，構造物に当接するあて板と，当該本体ベースとあて板とを締め付けるボルト及びナットとを備えたことを特徴とした請求項１乃至請求項２のいずれかに記載のパラボラアンテナ支持装置。
【請求項４】
前記アンテナ支柱は，構造物の外側に向かって曲げた屈曲部を設けたことを特徴とした請求項１，請求項２乃至請求項３のいずれかに記載のパラボラアンテナ支持装置。
【発明の詳細な説明】
【０００１】
【発明の属する技術分野】
本発明は，支柱，フェンス及び壁面等に代表される構造物にパラボラアンテナを支持する装置に関する。
【０００２】
【従来の技術】
従来，パラボラアンテナ支持装置は，支柱，フェンス及び壁面等の構造物にパラボラアンテナを取付ける支持部と，当該支持部に接続され前記パラボラアンテナを支持するためのアンテナ支柱からなり，そのアンテナ支柱はＩ字型若しくはＬ字型の形状をしており，当該支持柱の一方端は例えば溶接等の方法で前記支持部に保持される構成となっていた。
つまりは，パラボラアンテナ支持装置が支柱，フェンス及び壁面等の構造物に取付けられた時に，前記アンテナ支柱の開放端であるアンテナ取付け部の端部若しくは近傍にパラボラアンテナが取付けられると共に，当該アンテナ支柱が鉛直になるよう設置する構成となっていた。
【０００３】
【発明が解決しようとする課題】
しかし，従来のパラボラアンテナ支持装置は，当該アンテナ支持装置に取付けられるアンテナが主にオフセットパラボラアンテナである事から，当該パラボラアンテナが受信する，衛星放送からの電波の到来方向に仰角調整が容易にできるよう構成されていた。
しかしながら近年の技術的な進歩や，新しいシステムの構築がなされるに当たって，例えば衛星からの電波を受信するだけではなく，地上の基地局からも同様な電波が送信され，それを受信するシステムも考えられるのである。
ところが上述のように，地上の基地局からの電波，即ち水平方向からの電波を受信するために従来のアンテナ支持装置を使おうとすると，アンテナ装置を新しく設計し直す必要が生じ，これによって開発費用が発生し，部品の種類の増加とそれに伴う管理費用が生じる，といった問題が発生するのである。
また，新規設計にて水平方向からの電波を受信するための新しい支柱を作ったのならば，既設の衛星アンテナが設置された支柱の他に，また新たに支柱を設置する必要があり，工事費用や部材費用がかさむことになる。
本願の発明は，こうした問題点に鑑みてなされたものであり，
その目的は，パラボラアンテナを取付ける為のパラボラアンテナ支持装置を提供することにある。
他の目的は，支柱，フェンス及び壁面等の構造物に取付け可能なパラボラアンテナ支持装置を提供することにある。
他の目的は，従来のオフセットパラボラアンテナを取付け可能なパラボラアンテナ支持装置を提供することにある。
他の目的は，従来のオフセットパラボラアンテナを用いて，水平方向からの電波が受信可能なパラボラアンテナ支持装置を提供することにある。
他の目的は，既設の衛星用パラボラアンテナの取付け用支柱に，従来のオフセットパラボラアンテナを設置して，水平方向からの電波が受信可能なパラボラアンテナ支持装置を提供することにある。
他の目的は，アンテナ支持柱の開放端側におけるアンテナ取付け部の軸線と，パラボラアンテナ支持装置の取付け面とがオフセットされて設けられたパラボラアンテナ支持装置を提供することにある。
【０００４】
【課題を解決するための手段】
上記課題を解決するために，請求項１の発明は，構造物に当接する本体ベースと，本体ベースに保持されたアンテナ支柱とを備え，前記アンテナ支柱の開放端側におけるアンテナ取付け部の軸線と前記本体ベースが形成する平面に対する垂直線とが，直交しないように形成する。
【０００５】
請求項２の発明は，前記アンテナ支柱の開放端側におけるアンテナ取付け部の軸線と前記本体ベースが形成する平面に対する垂直線とが，４０〜６０°の角度をもつように形成される。
【０００６】
請求項３の発明は，前記本体ベースには，構造物に当接するあて板と，当該本体ベースとあて板とを締め付けるボルト及びナットとを備えたるように構成される。
【０００７】
請求項４の発明は，前記アンテナ支柱は，構造物の外側に向かって曲げた屈曲部を設けたことを特徴とする。
【０００８】
【発明の実施の形態】
以下に，本発明を具体化した実施形態の１例を，図面を基に詳細に説明する。図１は，既設の衛星アンテナ１０１（例えばＢＳ用パラボラアンテナ）の取付け用支柱５０に，本願のパラボラアンテナ支持装置１００を用いて，アンテナ装置１０２を取付ける例を示す斜視図である。１０３は例えば建築物の屋上に代表される衛星アンテナの設置場所である。支持台１０４には，支柱５０が鉛直に取付けられている。
【０００９】
前記パラボラアンテナ支持装置１００は，既設の前記支柱５０に取付けた前記アンテナ装置１０２を用いて，水平方向からの電波を受信可能とするよう構成されている。アンテナ装置１０２は既存のパラボラアンテナ鏡面１０２ａ，支持腕１０２ｂ及び鏡面支持装置１０２ｃを利用したものであり，コンバーター１０２ｄ及び一次放射器１０２ｅは，受信する電波に合わせて電気的特性を満たすようにそれぞれ設計されるものである。
【００１０】
次に，図２を用いて，本願のパラボラアンテナ支持装置１００の詳細について説明する。このパラボラアンテナ支持装置１００は，支柱５０の一方側から当接する本体ベース１と，本体ベース１に溶接により保持されたパイプ状のアンテナ支柱２と，支柱５０の反対面に当接する２組のあて板３と，本体ベース１とあて板３とを締め付ける２組のＵ字ボルト４と４組の平ワッシャー５，スプリングワッシャー６，ナット７から構成されている。２ｂはアンテナ支柱の端面に被せたキャップであり合成樹脂材料で成形されたものである。
【００１１】
本体ベース１は略正方形状の金属板からなり，構造物の外側に向かって，断面略く字型に突起部８が形成される。その本体ベースの外面略中央部には略へ字型のアンテナ支持柱の一方端２ｃが溶接により保持されている。
前記アンテナ支柱２の開放端側であるアンテナ取付け部２ａには，オフセットパラボラアンテナが取付けられるのであるが，本願においては，当該アンテナ支柱２のアンテナ取付け部２ａの軸線と，本体ベース１が形成する平面に対する垂直線とがなす角度θを４０〜６０°に成るようにアンテナ支柱２が形成されている。この関係を図３に示す。
【００１２】
あて板３は長方形状の金属板の長辺を支柱５０側に折り曲げて断面略コ字形に形成されるとともに，折り曲げられた金属板の略中央部には支柱と当接するように湾曲部９を形成している。また，前記あて板３の両端部にはボルト孔１０が設けられている。そして，支柱５０に本体ベース１とあて板３の湾曲部９を当接させ，Ｕ字ボルト４をあて板３のボルト孔１０から本体ベース孔１１ａ，１１ｂ及び１１ｃ，１１ｄに通して，本体ベース１の表側から平ワッシャー５，スプリングワッシャー６，ナット７を締付け固定するよう構成される。
【００１３】
上記構成の装置によれば，本体ベース１は略正方形状の金属板の略中央付近に，断面略く字型に突起部８が形成されているので，支柱５０に取付けても本体ベース１と支柱５０の当接する面積が増えることで取付け強度が増す。また，本体ベース１に前記突起部８が形成されたことにより，本体ベース１の強度も増すのである。
【００１４】
次に本発明のパラボラアンテナ支持装置１００の，第２の使用例として図４を参照して説明する。尚，以下の説明では，上記第１の実施形態のパラボラアンテナ支持装置と同様の構成要素については同一符号を付与し，詳細な説明は省略する。
この第２の実施例は，第１の実施例と比較して，前記ベース本体１に対する前記アンテナ支柱２の取付け強度を増す方法である。
本願においては，アンテナ支柱２は略Ｖ字型に形成されており，当該アンテナ支柱の一方端側２ｃは，前記本体ベース１の上端面から下端面に渡って，例えば溶接によって固着されている。これによって，前記アンテナ支柱２は本体ベース１により強固に接着されることになる。また前記アンテナ支柱２の一方端２ｃの端部にはキャップ２ｂが備えさせてある。
この場合も第１の実施例と同様に，前記アンテナ支柱２のアンテナ取付け部２ａの軸線と，本体ベース１が形成する平面に対する垂直線とがなす角度θを略３０〜５０°に成るようにアンテナ支柱２が形成されている。
【００１５】
尚，第２の実施例においては，支柱５０に取付ける為のあて板３の締め付けを第１の実施例のＵ字ボルトではなく，ボルト４ａを用いる方法を示す。ここでは，ボルト４ａをあて板３のボルト孔１０から本体ベース孔１１ａ，１１ｂ及び１１ｃ，１１ｄに通して，本体ベース１の表側からナット７を締付け固定するよう構成される。
【００１６】
次に本発明のパラボラアンテナ支持装置１００の，第３の使用例として図５を参照して説明する。
本願の装置の本体ベース１は略正方形状の金属板の略中央付近を，構造物の外側に向かって，曲げ加工して製作した例を示している。
この第２の実施例は，本願のパラボラアンテナ支持装置１００を壁面等の平面部分にも取付け可能にしたものである。
この実施例においては，当該支持装置１００を壁面に取付けるため，アンテナ装置１０２の方位角の調整ができる必要がある。そこで，上述の如く，本体ベース１の外面に，曲げ加工をして設けたアンテナ支持部材１ａを備えさせたのである。
【００１７】
ここで用いられるアンテナ支柱２は，図５に示す如く略へ字型をしており，当該アンテナ支柱の一方端２ｃ（図５においてはアンテナ支持部材１ａに挿着されて見えない）は，前記アンテナ支持部材１ａの内面側の空間に挿着される。即ち，前記アンテナ支持部材１ａの内面側における空間の寸法を，アンテナ支柱２の直径よりやや大きく形成すると共に，当該アンテナ支柱２の外周の一部に鍔部２ｄが備えられ，当該鍔部２ｄが前記アンテナ支持部材１ａの上端部に当接するように形成することで，前記アンテナ支柱２は前記本体ベース１に対して回転自在になるよう構成されているのである。
【００１８】
さらに，前記アンテナ支持部材１ａには，前記アンテナ支柱２の挿着部分（２ｃ）を前記本体ベース１に固着するために，当該アンテナ支持部材１ａにはナット１ｃが例えば溶接によって固着されると共に，当該ナット１ｃに螺着すること外面方向から締め緩めできるように取付けられた，ボルト１ｂが備えさせてあり，当該ボルト１ｂでもって前記アンテナ支柱２が引き抜けるのを防止する。また当該アンテナ支柱２に取付けられたアンテナ装置１０２の方向調整が自在にできると共に，方向調整が済んだなら前記ボルト１ｂを締め付けることで完全に方向が固着されることになる。
【００１９】
本体ベース１は，平面部１４も設けられ，平面部１４は壁面取付孔１６を形成していることから，図６に示すように壁面５５や柱等の平面にも木ねじ１３又はくぎ等で固定できるばかりでなく，図５に示すあて板３の取付け方向を金属板の長辺の折り曲げ方向が縦骨の反対側になるよう組付け直す事で，フェンスの複数の縦骨にも固定できる。
また，本体ベース孔１１ａ，１１ｂ及び１１ｃ，１１ｄ間のピッチと，本体ベース孔１１ａ，１１ｃ及び１１ｂ，１１ｄ間のピッチを同じになるよう形成されているため，Ｕ字ボルト４を本体ベース孔１１ａ，１１ｃ及び１１ｂ，１１ｄに通すことで，フェンスの横骨にも固定できる設置場所を選ばない構造となっている。
尚，本願の実施例における壁面取付孔１６は４箇所に設けてあるが，これに限定されるものでなく必要に応じ適宜設けても良い。
【００２０】
尚，第３の実施例では，前記アンテナ支柱２の一方端２ｃを，前記本体ベース１に備えさせたアンテナ支持部材１ａの上端方向から装着する方法を示したが，別の実施例として本体ベース１のアンテナ支持部材１ａの下端方向から装着する方法でも良い。この場合，アンテナ支柱２の一方端２ｃを挿着後，当該アンテナ支柱２の一方端２ｃの端部に鍔部を固着すると良い。
【００２１】
以上のように取付けられたパラボラアンテナ支持装置１００の使用状態について説明する。当該支持装置１００のアンテナ支柱２におけるアンテナ取付け部２ａの端部若しくは近傍には，従来から使用されているオフセットパラボラアンテナ（例えばＢＳ衛星放送受信用のオフセットパラボラアンテナ）の鏡面１０２ａ，支持腕１０２ｂ及び鏡面支持装置１０２ｃを利用したものが取付けられる。ところが，従来から使用されている上述のオフセットパラボラアンテナの各構成要素は，鉛直方向に設けられたアンテナ支柱２に取付けられた時に，例えば仰角が略４０°を中心として略±１０°の範囲の上方からくる電波に対して方向調整が可能なように構成されている。
【００２２】
従って，上述の従来から使用されているオフセットパラボラアンテナの各構成要素をそのまま用いて，水平方向からくる電波を受信するためのアンテナ装置１０２とするには，当該アンテナ装置１０２を，従来の鉛直方向のアンテナ支柱２に取付けたときよりも略４０°下方向に傾くように取付ければ良い。
【００２３】
そこで，本願のパラボラアンテナ支持装置１００においては，上述のように当該支持装置１００のアンテナ支柱２における開放端側であるアンテナ取付け部２ａの軸線と，本体ベース１が形成する平面に対する垂直線とがなす角度θを４０〜６０°に成るようにアンテナ支柱２が形成されているので，従来のオフセットパラボラアンテナを，当該アンテナ支柱２に取付けるだけで，アンテナの指向性は電波到来方向である水平方向を向くことになる。また，当該アンテナ装置１０２に備えさせた鏡面支持装置１０２ｃは，上述の如く略±１０°の範囲で角度調整が可能であるので，仰角の微調整も容易に可能となるのである。
【００２４】
更にいえば，第３の実施例においては，図６に示す如くドライバーを用いて，前記アンテナ支持部材１ａに備えさせたボルト１ｂの締め緩めすることによって，方位角の調整時には前記アンテナ支柱２を略±９０°の範囲において回転自在に，また，方角の調整が完了時には完全に前記アンテナ支柱２を固着するよう構成されており，本願のパラボラアンテナ支持装置１００に取付けられたアンテナ装置１０２の方位角調整も容易に行えるのである。
【００２５】
上述のように，本願のパラボラアンテナ支持装置１００は，アンテナ装置１０２を取付けるアンテナ支柱２の開放端側であるアンテナ取付け部２ａの軸線と，本体ベース１の平面が形成する垂直線とがなす角度θを４０〜６０°となるようにアンテナ支柱２ａを形成したので，従来から用いられているオフセットパラボラアンテナの各構成要素を利用して，水平方向からの電波を容易に受信可能とするパラボラアンテナ支持装置１００が提供できるのである。
尚，本願は上記実施形態に限定されるものではなく，本発明の趣旨を逸脱しない範囲で各部の形状並びに構成を適宜に変更して実施することも可能である。
【００２６】
【発明の効果】
以上詳述したように，請求項１の発明によれば，構造物に当接する本体ベースと，本体ベースに保持されたアンテナ支柱とを備え，前記アンテナ支柱の開放端側におけるアンテナ取付け部の軸線と前記本体ベースが形成する平面に対する垂直線とが，直交しないようににパラボラアンテナ支持装置を形成したので，本願のパラボラアンテナ支持装置を用いれば，従来からあるオフセットパラボラアンテナを用いて，多方面からの電波に対応して簡単に受信することができるので，新たなアンテナ装置の開発の必要がなく，開発費用の削減，部品の種類の増加とそれに伴う管理費用等の削減等が可能といった有効性の高いパラボラアンテナ支持装置が提供できる。
【００２７】
請求項２の発明によれば，前記アンテナ支柱の開放端側におけるアンテナ取付け部の軸線と前記本体ベースが形成する平面に対する垂直線とが，４０〜６０°の角度をもつように形成したので，本願のパラボラアンテナ支持装置を用いれば，従来からあるオフセットパラボラアンテナを用いて，水平方向からの電波に対応して簡単に受信することができるので，新たなアンテナ装置の開発の必要がなく，開発費用の削減，部品の種類の増加とそれに伴う管理費用等の削減等が可能といった有効性の高いパラボラアンテナ支持装置が提供できる。
【００２８】
請求項３の発明によれば，前記本体ベースには，構造物に当接するあて板と，当該本体ベースとあて板とを締め付けるボルト及びナットとを備えたので，本願のパラボラアンテナ支持装置を用いれば，従来からあるオフセットパラボラアンテナを用いて，支柱だけでなくフェンスや壁面に簡単に取付けて，水平方向からの電波を受信することができるので，新たなアンテナ装置の開発の必要がなく，開発費用の削減，部品の種類の増加とそれに伴う管理費用等の削減等が可能といった有効性の高いパラボラアンテナ支持装置が提供できる。
【００２９】
請求項４の発明によれば，前記アンテナ支柱を前記本体ベースに保持する部分とパラボラアンテナを取付ける開放端側であるアンテナ取付け部とを一体に形成したので，コストが安価で，部品点数の少なく組立てが容易な，水平方向からの電波が受信可能なパラボラアンテナ支持装置が提供できる。
【図面の簡単な説明】
【図１】本発明に係るパラボラアンテナ支持装置を，既設の衛星アンテナ用の支柱に取付けたときの使用例を示す。
【図２】本発明に係るパラボラアンテナ支持装置の第１の実施例を示す。
【図３】本発明に係るアンテナ支柱の軸線と，本体ベースが形成する平面に対する垂直線の関係を示す。
【図４】本発明に係るパラボラアンテナ支持装置の第２の実施例を示す。
【図５】本発明に係るパラボラアンテナ支持装置の第３の実施例を示す。
【図６】本発明に係るパラボラアンテナ支持装置の第３の実施例を壁面に取付けた使用例を示す。
【符号の説明】
１…本体ベース，１ａ…アンテナ支持部材，１ｂ…ボルト，１ｃ…ナット，２…アンテナ支柱，２ａ…アンテナ取付け部，２ｂ…キャップ，２ｃ…一方端，２ｄ…鍔部，３…あて板，４…Ｕ字ボルト，４ａ…ボルト，５…平ワッシャー，６…スプリングワッシャー，７…ナット，８…突起部，９…湾曲部，１０…ボルト孔，１１…本体ベース孔，１３…木ねじ，１４…平面部，１６…壁面取付孔，５０…支柱，５５…壁面，１００…パラボラアンテナ支持装置，１０１…衛星アンテナ（例えばＢＳ用パラボラアンテナ），１０２…アンテナ装置，１０２ａ…パラボラアンテナ鏡面，１０２ｂ…支持腕，１０２ｃ…鏡面支持装置，１０２ｄ…コンバーター，１０２ｅ…一次放射器，１０３…屋上，１０４…支持台，１０５…同軸ケーブル
【図１】
2004088368.tif 000003
【図２】
2004088368.tif 000004
【図３】
2004088368.tif 000005
【図４】
2004088368.tif 000006
【図５】
2004088368.tif 000007
【図６】
2004088368.tif 000008